(57)【特許請求の範囲】
【請求項１】
噛合いリンクプレートを有する内リンクと、ガイドリンクプレート及び噛合いリンクプレートを有する外リンクと、を連結ピンにて交互に連結してなるサイレントチェーンにおいて、
前記内リンクの噛合いリンクプレートと前記連結ピンとの間に設けられて、前記内リンクの噛合いリンクプレートに圧入・固定され、かつ前記連結ピンに遊嵌したブシュを備え、
前記ブシュは、前記内リンクの噛合いリンクプレートに隣接する前記外リンクの噛合いリンクプレートを貫通して延長した延長部を有し、
前記延長部は、内周面が前記連結ピンに遊嵌し、外周面が前記外リンクの噛合いリンクプレートに遊嵌していることを特徴とするサイレントチェーン。
【請求項２】
前記内リンクと前記外リンクとが複数設けられ、前記外リンクの噛合いリンクプレートが、前記連結ピンの軸方向に互いに隣接してなる請求項１に記載のサイレントチェーン。
【請求項３】
前記内リンクが、隣接する複数枚の噛合いリンクプレートを有してなる請求項１又は２に記載のサイレントチェーン。
【請求項４】
前記ブシュの硬度が、前記外リンクの噛合いリンクプレートの硬度より高いことを特徴とする請求項１に記載のサイレントチェーン。
【発明の詳細な説明】
【０００１】
【発明の属する技術分野】
本発明は、サイレントチェーンに関する。
【０００２】
【従来の技術】
従来、サイレントチェーンとして、図５、図７に示す構造のチェーンがある。
【０００３】
図５、図６に示すサイレントチェーン２００は、噛合いリンクプレート２０１，２０１を有する内リンク２０２と、ガイドリンクプレート２０３及び噛合いリンクプレート２０４を有する外リンク２０５と、を連結ピン２０６にて交互に連結して構成されている。
【０００４】
そして、このサイレントチェーン２００は、外リンク２０５のガイドリンクプレート２０３及び噛合いリンクプレート２０４を連結ピン２０６と一体化し、内リンク２０２の噛合いリンクプレート２０１を連結ピン２０６に遊嵌して、この遊嵌部分によって屈曲するようになっている。
【０００５】
また、図７、図８に示すサイレントチェーン３００は、噛合いリンクプレート３０１を有する内リンク３０２と、ガイドリンクプレート３０３及び噛合いリンクプレート３０４を有する外リンク３０５とを、各噛合いリンクプレート３０１，３０４に圧入・固定したブシュ３０６，３０７に連結ピン３０８を貫通して交互に連結して構成されている。
【０００６】
なお、内リンク３０２及び外リンク３０５の各噛合いリンクプレート３０１，３０４は、それぞれ、２枚を１組として用いられており、各ブシュ３０６，３０７は、該１組のリンクプレート３０１，３０１，３０４，３０４に共通に圧入・固定されている。
【０００７】
そして、このサイレントチェーン３００は、外リンク３０５のガイドリンクプレート３０３とブシュ３０７とを連結ピン３０８と一体化し、内リンク３０２の噛合いリンクプレート３０１のブシュ３０６を連結ピン３０８に遊嵌して、この遊嵌部分によって屈曲するようになっている。
【０００８】
【発明が解決しようとしている課題】
しかし、図５に示すサイレントチェーン２００は、外リンク２０５と連結ピン２０６との間で屈曲せず、内リンク２０２の噛合いリンクプレート２０１と連結ピン２０６との間の遊嵌部分でのみ屈曲するため、連結ピン２０６に対して回転する部分が内リンク２０２の噛合いリンクプレート２０１のみ厚みになっている。
【０００９】
従って、図５に示すサイレントチェーン２００は、屈曲部における回転摺動部分が局部的に集中し、長期間使用すると、内リンク２０２の噛合いリンクプレート２０１と連結ピン２０６との間に摩耗が生じ、連結ピン２０６に対して内リンク２０２ががた付き、チェーンピッチに狂いが生じ、騒音の発生原因となり、低騒音であることの特長を失うことがあった。
【００１０】
一方、図７に示すサイレントチェーン３００は、外リンク３０５の噛合いリンクプレート３０４のブシュ３０７と連結ピン３０８との間で屈曲せず、内リンク３０２の噛合いリンクプレート３０１のブシュ３０６と連結ピン３０８との遊嵌部分のみで屈曲するため、連結ピン３０８に対して回転する部分がブシュ３０６の長さ分のみになっている。
【００１１】
ところが、ブシュ３０６の長さは、噛合いリンクプレート３０１の２枚分の厚みとほぼ同じであり、結果的に、図７に示すサイレントチェーン３００も、連結ピン３０８に対して回転する部分の面積が、図５に示すサイレントチェーン２００とほぼ同一であり、図５に示すサイレントチェーン２００と同様に、屈曲部における回転摺動部分が局部的に集中し、長期間使用すると、ブシュ３０６と連結ピン３０８との間に摩耗が生じ、連結ピン３０８に対して内リンク３０２ががた付き、騒音の発生原因となり、低騒音であることの特長を失うことがあった。
【００１２】
さらに、サイレントチェーン２００，３００に加わる引っ張り力が、連結ピン２０６，２０８の局部的な部分に加わるため、連結ピンが変形し、サイレントチェーンが円滑に屈曲しなくなり、騒音の発生原因になっていた。
【００１３】
本発明は、屈曲部における回転摺動部分の面積を広くし、摩耗を少なくするとともに連結ピンの変形を防止して、長期間使用しても、低騒音を維持することのできるサイレントチェーンを提供することを目的としている。
【００１４】
【課題を解決するための手段】
本発明のサイレントチェーン（１０）は、噛合いリンクプレート（１５）を有する内リンク（１１）と、ガイドリンクプレート（１７）及び噛合いリンクプレート（１８）を有する外リンク（１２）と、を連結ピン（１３）にて交互に連結してあり、前記内リンク（１１）の噛合いリンクプレート（１５）と前記連結ピン（１３）との間に設けられて、前記内リンク（１１）の噛合いリンクプレート（１５）に圧入・固定され、かつ前記連結ピン（１３）に遊嵌したブシュ（１４）を備え、前記ブシュ（１４）は、前記内リンク（１１）の噛合いリンクプレート（１５）に隣接する前記外リンク（１２）の噛合いリンクプレート（１８）を貫通して延長した延長部（１４ａ）を有し、前記延長部（１４ａ）は、内周面（１４ｂ）が前記連結ピン（１３）に遊嵌し、外周面（１４ｃ）が前記外リンク（１２）の噛合いリンクプレート（１８）に遊嵌していることを特徴としている。
【００１５】
本発明のサイレントチェーンの前記内リンク（１１）と前記外リンク（１２）とは複数設けられており、前記外リンク（１２）の噛合いリンクプレート（１８），（１８）は、前記連結ピン（１３）の軸方向に互いに隣接している。
【００１６】
本発明のサイレントチェーン（１０）の前記内リンク（１１）は、隣接する複数枚の噛合いリンクプレート（１５），（１５）を有している。
【００１７】
本発明のサイレントチェーン（１０）の前記ブシュ（１４）の硬度は、前記外リンク（１２）の噛合いリンクプレート（１８）の硬度より高くしてある。
【００１８】
【作用】
本発明のサイレントチェーン（１０）は、ブシュ（１４）が内リンク（１１）の噛合いリンクプレート（１５）に圧入・固定されて連結ピン（１３）に遊嵌し、且つ延長部が外リンク（１２）の噛合いリンクプレート（１８）と連結ピン（１３）とに遊嵌しているため、内リンク（１１）と外リンク（１２）との両方の噛合いリンクプレート（１５），（１８）がブシュ（１４）を介して、連結ピン（１３）に対して屈曲するようになっている。
【００１９】
ブシュ（１４）の長さは、内リンク（１１）の噛合いリンクプレート（１５）の厚みと、外リンク（１２）の噛合いリンクプレート（１８）の厚みとの合計とほぼ同じであり、連結ピンに接触している部分が、内リンク（１１）と外リンク（１２）との両方の噛合いリンクプレート（１５），（１８）を合わせた厚み分となる。
【００２０】
このため、本発明のサイレントチェーン（１０）は、従来のサイレントチェーンの屈曲部において連結ピンに接触している部分が、内リンク（１１）の噛合いリンクプレート（１５）の厚み分のみであったのに対して、外リンク（１２）の噛合いリンクプレート（１８）の厚み分だけ長くなり、その分、連結ピン（１３）に対する回転摺動部分の面積が広くなっている。
【００２１】
本発明のサイレントチェーン（１０）において、内リンク（１１）の噛合いリンクプレート（１５）を、隣接する複数枚で構成すると、噛合いリンクプレート（１５）に対するブシュ（１４）の圧入・固定する部分の長さが長くなり、ブシュ（１４）が噛合いリンクプレート（１５）に安定した状態で圧入・固定される。
【００２２】
本発明のサイレントチェーン（１０）において、前記ブシュ（１４）の硬度を、前記外リンク（１２）の噛合いリンクプレート（１８）の硬度より高くすると、対摩耗性が向上して、ブシュ（１４）の摩耗が少なくなる。
【００２３】
なお、上述した括弧内の符号は、図面を参照するために示すものであって、本発明の構成をなんら限定するものではない。
【００２４】
【発明の実施の形態】
以下、本発明の実施の形態のサイレントチェーンを図１乃至図４に基づいて説明する。
【００２５】
図１乃至図３に示す、サイレントチェーン１０は、内リンク１１と外リンク１２とを連結ピン１３で交互に連結して、屈曲可能に構成されている。
【００２６】
内リンク１１は、両端にブシュ１４が圧入・固定された２枚重ねの噛合いリンクプレート１５，１５を有している。外リンク１２は、ガイドリンクプレート１７と、ブシュ１４が貫通する嵌合孔１６が両端に形成された噛合いリンクプレート１８を有している。
【００２７】
連結ピン１３は、ブシュ１４を貫通し、遊嵌し、両端にガイドリンクプレート１７が圧入・固定されている。
【００２８】
噛合いリンクプレート１５，１８は、不図示のスプロケットに噛合するようになっている。ガイドリンクプレート１７は、内リンク１１、外リンク１２が分解しないように、幅規制しているとともに、スプロケットの厚みの両側に位置してスプロケットからサイレントチェーン１０が外れないように位置規制している。
【００２９】
ブシュ１４は、隣接する外リンク１２の噛合いリンクプレート１８に向けて延長している。その延長部１４ａは、連結ピン１３にブシュ１４の内周面１４ｂをほぼ軸方向に連続して連結ピン１３を回転自在に支持し、且つ外周面１４ｃを噛合いリンクプレート１８の嵌合孔１６を回転自在に支持している。
【００３０】
ブシュ１４には、外リンク１２の噛合いリンクプレート１８より硬度の高い材料を使用している。
【００３１】
以上の構成において、本発明のサイレントチェーン１０は、ブシュ１４が内リンク１１の噛合いリンクプレート１５に圧入・固定されて連結ピン１３に遊嵌し、且つ延長部１４ａが外リンク１２の噛合いリンクプレート１８と連結ピン１３とに遊嵌しているため、内リンク１１、外リンク１２の噛合いリンクプレート１５，１８がブシュ１４を介して、連結ピン１３に対して屈曲することになる。
【００３２】
ブシュ１４の長さは、内リンク１１の噛合いリンクプレート１５の厚みと、外リンク１２の噛合いリンクプレート１８の厚みとの合計とほぼ同じであり、ブシュ１４が連結ピン１３に接触している部分の長さは、内リンク１１、外リンク１２の両方の噛合いリンクプレート１５，１８の厚みとほぼ同じである。
【００３３】
このため、以上のサイレントチェーン１０は、従来のサイレントチェーン２００，３００において連結ピン２０６，３０８に接触している部分が、内リンク２０２，３０２の噛合いリンクプレート２０１，３０１の厚み分のみであったのに対して、外リンク１２の噛合いリンクプレート１８の厚み分だけ長くなり、その分、屈曲部における連結ピン１３に対する回転摺動部分の面積が広くなっている。
【００３４】
具体的に説明すると、各噛合いリンクプレート１５，１８の厚みを同一とした場合、従来の回転摺動部分の面積は噛合いリンクプレートの２枚分であり、本発明の回転摺動部分の面積は噛合いリンクプレートの３枚分であり、回転摺動部分の面積が約５０％増えたことになり、その分、屈曲部の摩耗が少なくなる。しかも、ブシュに高硬度の材料を使用しているため、より一層摩耗が少なくなる。
【００３５】
従って、サイレントチェーン１０は、回転摺動部分の面積が広いため、従来と異なって連結ピンに対して局部的に摩耗が生じるようなことがなくなり、長期間使用しても、摩耗が少なく、連結ピン１３に対して内リンク１１ががた付くことがなく、さらに、連結ピン１３の屈曲を防止して、従来よりも低騒音になり、且つ長期間使用しても、低騒音を維持することができる。
【００３６】
なお、内リンク１１の噛合いリンクプレート１５は、２枚隣接されているが、これは、図１において、ブシュ１４の内側端に外リンク１２の噛合いリンクプレート１８が遊嵌し、噛合いリンクプレート１８の引っ張り力がブシュ１４に片持ち状態で加わるようになっているため、ブシュ１４を噛合いリンクプレート１８に対する圧入長さを長くして、圧入・固定を確実にするためである。
【００３７】
しかも、ブシュ１４には、高硬度の材料が使用されているため、ブシュ１４は変形しにくくなっている。
【００３８】
内リンク１１の噛合いリンクプレート１５に、２枚分に相当する厚みを備えた１枚のプレートを使用してもよい。さらに、噛合いリンクプレート１５を３枚以上使用してもよい。
【００３９】
なお、図１のサイレントチェーン１０は、チェーンの幅方向に内リンク１１と外リンク１２を２組配設してあるが、図４に示すサイレントチェーン１００のように３組、あるいは、図示しないが４組以上配列してもよい。図４に示すサイレントチェーン１００において、図１に示すサイレントチェーン１０と同一部分には同一符号を付して、その部分の説明は省略する。
【００４０】
この場合、幅方向の中間の内リンク１１１は、ブシュ１１４が噛合いリンクプレート１１５の両側に延長し、外リンク１１２の噛合いリンクプレート１１９がその延長部１１４ａに嵌合孔１１６を介して遊嵌している。
【００４１】
このサイレントチェーン１００も、図１のサイレントチェーン１０と同様に、屈曲部における回転摺動部分の面積を広くして、局部的に摩耗が生じないようにしてあるため、摩耗が少ないとともに、連結ピン１３の屈曲を防止して、従来よりも低騒音になり、且つ長期間使用しても、低騒音を維持することができるようになっている。
【００４２】
ピン、ブッシュ、リンクプレートには、炭素鋼、合金鋼が使用されている。ピンのビッカース硬度は約ＨＶ８００以上、或いは約ＨＶ１３００以上である。ブシュのビッカース硬度は約ＨＶ６００乃至ＨＶ８００である。リンクプレートのビッカース硬度は約ＨＶ４００乃至約ＨＶ６００である。
【００４３】
【発明の効果】
本発明のサイレントチェーンは、従来のサイレントチェーンにおいて連結ピンに接触している部分が、内リンクの噛合いリンクプレートの厚み分のみであったのに対して、外リンクの噛合いリンクプレートの厚み分だけ長くなり、その分、連結ピンに対する回転摺動部分の面積が広くなっているので、屈曲部の摩耗が少なくなり、連結ピンに対して内リンクががた付くことがなく、さらに、連結ピンの変形を防止して、長期間使用しても、低騒音を維持することができるという効果を奏する。
【００４４】
本発明のサイレントチェーンにおいて、外リンクの噛合いリンクプレートを互いに隣接して配置すると、これら噛合いリンクプレートに固定されたブシュに支持されるので、バランス良く外リンクが支持され、上記屈曲部の摩耗及び連結ピンの変形を更に確実に減少することができる。
【００４５】
本発明のサイレントチェーンにおいて、内リンクの噛合いリンクプレートを、隣接する複数枚で構成すると、噛合いリンクプレートに対するブシュの圧入・固定する部分の長さが長くなり、ブシュを噛合いリンクプレートに安定した状態で圧入・固定することができ、片持ち状態で外リンクの噛合いリンクプレートに長期間確実に連結させておくことができる。
【００４６】
本発明のサイレントチェーンにおいて、ブシュの硬度を、外リンクの噛合いリンクプレートの硬度より高くすると、対摩耗性が向上して、ブシュの摩耗が少なくなり、長期間、低騒音を維持することができる。また、ブシュ自身の変形も防止することができる。
【図面の簡単な説明】
【図１】本発明の実施形態のサイレントチェーンの正面図であり、部分断面図である。
【図２】    図１のサイレントチェーンを手前側から見た図である。
【図３】図１１中、３−３矢視断面図である。
【図４】本発明の他の実施形態のサイレントチェーンの正面図であり、部分断面図である。
【図５】従来のサイレントチェーンの正面図であり、部分断面図である。
【図６】図５中、６−６矢視断面図である。
【図７】他の従来のサイレントチェーンの正面図であり、部分断面図である。
【図８】図７中、８−８矢視断面図である。
【符号の説明】
１０，１００      サイレントチェーン
１１，１１１      内リンク
１２，１１２      外リンク
１３              連結ピン
１４，１１４      ブシュ
１４ａ，１１４ａ  延長部
１４ｂ            内周面
１４ｃ            外周面
１５，１１５      内リンクの噛合いリンクプレート
１６              外リンクの噛合いリンクプレートの嵌合孔
１７              ガイドプレート
１８              外リンクの噛合いリンクプレート
【図１】
0004394215.tif 000002
【図２】
0004394215.tif 000003
【図３】
0004394215.tif 000004
【図４】
0004394215.tif 000005
【図５】
0004394215.tif 000006
【図６】
0004394215.tif 000007
【図７】
0004394215.tif 000008
【図８】
0004394215.tif 000009